(57)【要約】【課題】  中層建物では他の耐震要素を併用することなく、フラットプレート構造のみによる設計を可能とすること、また、免震構造あるいは制震構造と併用することで高層建物の設計を可能とする技術を提供する。【解決手段】  柱とスラブの接合部において、上下スラブ筋の間に柱の断面積よりも大きい平面積を有する補強プレートを配置した上、コンクリートを打設してなる。また補強プレートを組み立て可能に複数のユニットに分割した。さらに補強プレートの外周に例えばスタッドボルトなどの突出部を設けた。さらに、補強プレートの一部に制震部材を用いることもある。フラットプレート架構の補強方法としては、スラブ下筋の配筋後、柱とスラブの接合部において、前記スラブ下筋上に柱の断面積よりも大きい平面積を有する補強プレートを配置した上、スラブ上筋を配筋し、コンクリートを打設する。【選択図】        図２
2005171548.tif 000002
【特許請求の範囲】
【請求項１】
柱とスラブの接合部において、上下スラブ筋の間に柱の断面積よりも大きい平面積を有する補強プレートを配置した上、コンクリートを打設してなることを特徴としたフラットプレート架構の補強構造。
【請求項２】
補強プレートを組み立て可能に複数のユニットに分割したものである請求項１記載のフラットプレート架構の補強構造。
【請求項３】
補強プレートは、その外周に突出部を設けたものである請求項１または２記載のフラットプレート架構の補強構造。
【請求項４】
突出部は、スタッドボルトである請求項３記載のフラットプレート架構の補強構造。
【請求項５】
補強プレートに制震部材を用いた請求項１から４のうち何れか一項記載のフラットプレート架構の補強構造。
【請求項６】
フラットプレート架構の補強方法として、スラブ下筋の配筋後、柱とスラブの接合部において、前記スラブ下筋上に柱の断面積よりも大きい平面積を有する補強プレートを配置した上、スラブ上筋を配筋し、コンクリートを打設することを特徴としたフラットプレート架構の補強方法。
【発明の詳細な説明】
【技術分野】
【０００１】
この発明は、フラットプレート架構における柱とスラブとの接合部を補強する技術に関するものである。
【背景技術】
【０００２】
フラットプレート架構は、フラットスラブと柱とを梁や支版などを使用せず接合した構造で、床下（その下階の天井）に凹凸の生ぜず、高さ方向に無駄な空間ができないため、自由な間取りが可能で、設備配管の取り回しも容易であることから、フリープラン住宅やＳＩ住宅に対応した躯体構造を得るものとして、近年注目を集めている。
【０００３】
その反面、上述したように梁や支版などを持たない構造的特性から、柱に横方向の揺れ（水平力）が作用した場合、柱とスラブの接合部にひびが発生し、該部の剛性が低下し、またパンチング等の脆性的な破壊形式となりやすく、そのままでは耐震性能に問題あると指摘されている。
【０００４】
そのため、従来は、外壁に耐震要素を配した外殻構造、建物中央部に耐震要素を配したセンターコア構造あるいは免震構造等といった他の耐震要素との併用によって、フラットプレート架構そのものに大きな水平力が作用しないような対策が講じられていた（例えば、特許文献１、非特許文献１を参照）。
【０００５】
【特許文献１】特公平７−４９６９０号公報
【非特許文献１】井上貴之、鈴木紀雄、加藤友康共著、「鉄筋コンクリート造柱−フラットスラブ接合部のせん断補強法に関する研究」、日本建築学会大会学術講演梗概集、２０００年９月、ｃ−２、ｐ７８９〜７９２
【発明の開示】
【発明が解決しようとする課題】
【０００６】
しかし、ここに例示した従来技術は、他の耐震要素を必要とするものであるから、水平力に対する柱・スラブ接合部そのものの曲げ耐力、せん断耐力、あるいは靭性能を向上させる直接的な有効手段とは言い難く、フラットプレート構造による建築物の設計を困難なものにしてきた。
【０００７】
本発明は、上記課題を解決するためになされたもので、その目的とするところは、フラットプレート構造の建築物に水平力が作用する場合の設計上の制約を軽減することによって、７層程度の中層建物では他の耐震要素を併用することなく、フラットプレート構造のみによる設計を可能とすること、また、免震構造あるいは制震構造と併用することで高層建物の設計を可能とする技術を提供することである。
【課題を解決するための手段】
【０００８】
上述した目的を達成するために本発明では、柱とスラブの接合部において、上下スラブ筋の間に柱の断面積よりも大きい平面積を有する補強プレートを配置した上、コンクリートを打設するという手段を用いた。補強プレートは例えば鋼製のプレートを骨組みして構成される。このような補強プレートを上下スラブ筋間に配することによって、柱を囲繞しつつ、コンクリート打設によってスラブ上筋と下筋の間に埋設され、柱・スラブの接合部を補強する作用を行う。また、補強プレートは上下スラブ筋を配筋する場合のスペーサとしても機能する。
【０００９】
補強プレートは、柱の断面積よりも平面積を有する必要があるが、柱が太い場合は、複数のユニットに分割し、これを現場にて例えば高力ボルトなどによって組み立てることができる。ただし、その形状等は、柱・スラブの接合部に作用する応力に応じて自由に設定することができる。
【００１０】
また、補強プレートの外周部に例えばスタッドボルトを突設することによって、打設コンクリートとの接合力を高めることができる。また、補強プレートに制震部材を用いることによって、柱・スラブ接合部のエネルギー吸収性能を制御することが可能となる。
【００１１】
さらに、本発明では、フラットプレート架構の補強方法として、スラブ下筋の配筋後、柱とスラブの接合部において、前記スラブ下筋上に柱の断面積よりも大きい平面積を有する補強プレートを配置した上、スラブ上筋を配筋し、コンクリートを打設するという手段を用いた。
【発明の効果】
【００１２】
このように本発明によれば、柱とスラブの接合部において、上下スラブ筋の間に柱の断面積よりも大きい平面積を有する補強プレートを配置した上、コンクリートを打設するという手段を用いたので、柱・スラブの接合部そのものを直接的に補強し、従来のフラットプレート架構と比較して、前記接合部の曲げ耐力、せん断耐力および靭性能を大幅に向上させることができる。そのため、７層程度の中層建物では他の耐震要素を併用することなく、より高層・長スパンの躯体設計が可能となる。また、補強プレートの設置等、作業に特殊な工程は必要なく、一般の配筋方法によって簡易に施工することができる。さらに、補強プレートはスラブ内に埋設されるから、補強プレートの耐久性も確保される。
【００１３】
また、補強プレートを組み立て可能に複数のユニットに分割したものにあっては、補強プレートの搬入や上階揚重、接合部への配置作業等を利便に行うことができる。
【００１４】
また、補強プレートの外周部に例えばスタッドボルト等の突出部を設けたものにあっては、前記突出部が補強プレートと打設コンクリートの接合力を向上させ、コンクリートとの一体性を高めることができる。さらに、補強プレートに制震部材を用いることによって、柱・スラブ接合部のエネルギー吸収性能を制御することが可能となった。
【発明を実施するための最良の形態】
【００１５】
以下、本発明の好ましい実施の形態を添付した図面に従って説明する。図１、２は、本発明で使用する補強プレートの一例を示したもので、複数枚の鋼製プレート１を平面視八角形に骨組みしてなる。この補強プレートにおいてａ・ｂは、原則として柱寸法と同じとしてるが、本発明においては、その平面積が柱の断面積を上回るものであり、柱を囲繞して配置した場合、柱からの迫り出し部がスラブとの接合部を構成するものであれば、これに限定する必要はなく、その形状も柱形状や接合部に作用する応力等を計算した上で決定すればよい。
【００１６】
なお、２は補強プレートの外周に打設されたスタッドボルトであって、プレート外周から突出して設けることにより、当該プレートと打設コンクリートの一体性を高めるものである。
【００１７】
図３は、上記補強プレートを複数のユニットに分割した例を示したもので、この場合、内部に鋼製プレート１を十文字に配した平面視四角形状のユニット３が１個と、内部に鋼製プレート１を一文字に配した平面視四角形上のユニット４が４個と、平面視二等辺三角形状に構成したユニット５が４個に分割されている。そして、これらユニット３・４・５を高力ボルトで接合することによって、図１と同じ形状の補強プレートを組み立てることができる。なお、分割数や各ユニットの形状は、これに限らず、適宜変更できることはもちろんである。
【００１８】
図４は、上記補強プレートを用いたフラットプレート架構の補強方法についての施工手順を示したもので、先ず通法のＲＣ工法に従って、柱型枠６、スラブ型枠７の構築およびスラブ下筋８の配筋を行う（同図（ａ））。次に、上記補強プレートを柱・スラブの接合部に位置して、スラブ下筋８上に配置する（同図（ｂ））。そして、補強プレートをスペーサとして、その上にスラブ上筋９を配筋する（同図（ｃ））。ここまで、補強プレートの設置を含めて、一般の鉄筋工によって簡易に施工することができる。そして、スラブ上筋９側から、これまた通法のＲＣ工法によって、コンクリート１０を打設することによって、本発明の補強方法が構成される（同図（ｄ））。
【００１９】
なお、図１において、例えば丸で囲った部分に制震部材を用いることによって、柱・スラブ接合部のエネルギー吸収性能を制御することが可能となる。
【図面の簡単な説明】
【００２０】
【図１】本発明構造で使用する補強プレートの一例を示した平面図
【図２】同、斜視図
【図３】上記補強プレートの分割構造の一例に係る平面図
【図４】本発明方法の施工手順を示した工程図
【符号の説明】
【００２１】
１  鋼製プレート
２  スタッドボルト
３、４、５  補強プレートの分割ユニット
６  柱型枠
７  スラブ型枠
８  スラブ下筋
９  スラブ上筋
１０  コンクリート
【図１】
2005171548.tif 000003
【図２】
2005171548.tif 000004
【図３】
2005171548.tif 000005
【図４】
2005171548.tif 000006
【手続補正書】
【提出日】平成15年12月15日(2003.12.15)
【手続補正１】
【補正対象書類名】明細書
【補正対象項目名】００１２
【補正方法】変更
【補正の内容】
【００１２】
このように本発明によれば、柱とスラブの接合部において、上下スラブ筋の間に柱の断面積よりも大きい平面積を有する補強プレートを配置した上、コンクリートを打設するという手段を用いたので、柱・スラブの接合部そのものを直接的に補強し、従来のフラットプレート架構と比較して、前記接合部の曲げ耐力、せん断耐力および靭性能を大幅に向上させることができる。そのため、７層程度の中層建物では他の耐震要素を併用することなく躯体設計が可能となる。また、補強プレートの設置等、作業に特殊な工程は必要なく、一般の配筋方法によって簡易に施工することができる。さらに、補強プレートはスラブ内に埋設されるから、補強プレートの耐久性も確保される。